(57)【要約】      （修正有）【課題】既設の柱が設置されている場所においても、既設の天井及び床を傷つけることなく、柱及びパネルの接合部に段差が生じないように設営できる間仕切り壁を提供する。【解決手段】既設の柱２００の周囲を囲むように配置された柱固定部材１と、一方の面に複数の凹部が設けられた、床方向に開のコの字形状に形成された部材であり、柱固定部材１に他方の面が固定された柱パネル接続部材２と、柱パネル接続部材２のコの字形状内側に挿入される内部パネル３と、少なくとも一方の端面に、柱パネル接続部材２の複数の凹部に対応する位置に複数の凸部が設けられ、柱パネル接続部材２の凹部が設けられた面の幅と略同一の厚みを有する外部パネル４とを備える。【選択図】図１
0003159544.tif 000002
【実用新案登録請求の範囲】
【請求項１】
既設の柱の周囲を囲むように配置された柱固定部材と、
一方の面に複数の凹部が設けられた、床方向に開のコの字形状に形成された部材であり、前記柱固定部材に他方の面が固定された柱パネル接続部材と、
前記柱パネル接続部材のコの字形状内側に挿入されることにより柱パネル接続部材に接続される平板形状の内部パネルと、
前記柱パネル接続部材の前記凹部が設けられた面の幅と略同一の厚みを有し、少なくとも一方の端面の前記柱パネル接続部材の複数の凹部に対応する位置に複数の凸部が設けられた平板形状の部材であり、前記複数の凸部が前記柱パネル接続部材の複数の凹部に嵌合することにより前記柱パネル接続部材に接続される外部パネルと、
を備えたことを特徴とする間仕切り壁。
【請求項２】
前記外部パネルは、さらに、
他方の端面に、前記複数の凸部が設けられ、
両面に、前記外部パネルの一方又は他方の端面に設けられた複数の凸部に対応する位置に複数の凹部が設けられ、この複数の凹部が設けられた面の幅が前記外部パネルの厚みと略同一である床方向に開のコの字形状に形成された部材であり、このコの字形状内側に内部パネルが挿入されることにより前記内部パネルが接続されると共に、前記複数の凸部が前記複数の凹部に嵌合することにより前記外部パネルが接続されるパネル接続部材と、
を更に備えた請求項１記載の間仕切り壁。
【請求項３】
前記外部パネルは、
外側表面が緩衝材により形成された
ことを特徴とする請求項１又は２記載の間仕切り壁。
【考案の詳細な説明】
【技術分野】
【０００１】
本考案は、既設の柱を利用して空間を自由に仕切ることが可能な間仕切り壁に関する。
【背景技術】
【０００２】
大型のショッピングセンター等では、幼児が様々な遊具を用いて体を動かして遊ぶことができる遊戯スペースが設置されていることが多い。
【０００３】
このような遊戯スペースは、仮設のスペースとして、簡易に設営及び撤去が可能であり、かつ簡易にレイアウトを変更可能な部材により設営されることが求められる。
【０００４】
特許文献１には、天井パネル受け部材を天井にビス止めすると共に、床パネル受け部材を床にビス止めしてパネルを固定することにより、スペースの間仕切りを行う間仕切り壁ユニットが提案されている。
【０００５】
また、特許文献２には、左右の接合面にそれぞれ係合孔を設けてなる柱と、この柱とは別体に構成され左右の接合面に下方に屈曲する係合爪が設けられたパネルを備えた可動間仕切壁が提案されている。
【０００６】
さらに、特許文献３には、ワークスペースを構成するよう配置された複数の垂直支持柱と、垂直支持柱に隣接して取り付けられる複数の壁パネルと、壁パネルの頂上で隣接した垂直支持柱間に取り付けられる水平方向レールとを備えたシステムが提案されている。
【先行技術文献】
【特許文献】
【０００７】
【特許文献１】特開平８−１３５０５３号公報
【特許文献２】特開昭６３−２２６４３２号公報
【特許文献２】特表２００２−５２３６５８号公報
【考案の概要】
【考案が解決しようとする課題】
【０００８】
しかしながら、特許文献１に記載の技術では、天井パネル受け部材を天井にビス止めすると共に、床パネル受け部材を床にビス止めして、パネルを固定するので、天井及び床にビス止め用の穴を設けることになり、間仕切り壁ユニットを撤去する際には、この穴埋め等の後処理を行うことにより、元の状態に復旧する必要があった。
【０００９】
特許文献１〜３に記載の技術では、柱とパネルとの接合部に段差が生じるので、パネルに絵を描画する場合、この段差によって不自然な絵となってしまう場合があり、また、スペース内に配置された遊具を移動させる際、この段差に遊具が引っかかり遊具が損傷する等の課題があった。
【００１０】
さらに、特許文献１〜３に記載の技術では、十分に広いスペースに設置されることを前提としており、既設の柱がある場合には、設置することが困難であった。
【００１１】
本考案は、上記課題に鑑みてなされたものであり、既設の柱が設置されている場所においても、既設の天井及び床を傷つけることなく、柱及びパネルの接合部に段差が生じないように設営することができる間仕切り壁を提案することを目的とする。
【課題を解決するための手段】
【００１２】
上記目的を達成するため、本考案に係る間仕切り壁の第１の特徴は、既設の柱の周囲を囲むように配置された柱固定部材と、一方の面に複数の凹部が設けられた、床方向に開のコの字形状に形成された部材であり、前記柱固定部材に他方の面が固定された柱パネル接続部材と、前記柱パネル接続部材のコの字形状内側に挿入されることにより柱パネル接続部材に接続される平板形状の内部パネルと、前記柱パネル接続部材の前記凹部が設けられた面の幅と略同一の厚みを有し、少なくとも一方の端面の前記柱パネル接続部材の複数の凹部に対応する位置に複数の凸部が設けられた平板形状の部材であり、前記複数の凸部が前記柱パネル接続部材の複数の凹部に嵌合することにより前記柱パネル接続部材に接続される外部パネルと、を備えたことにある。
【００１３】
上記目的を達成するため、本考案に係る間仕切り壁の第２の特徴は、前記外部パネルは、さらに、他方の端面に、前記複数の凸部が設けられ、両面に、前記外部パネルの一方又は他方の端面に設けられた複数の凸部に対応する位置に複数の凹部が設けられ、この複数の凹部が設けられた面の幅が前記外部パネルの厚みと略同一である床方向に開のコの字形状に形成された部材であり、このコの字形状内側に内部パネルが挿入されることにより前記内部パネルが接続されると共に、前記複数の凸部が前記複数の凹部に嵌合することにより前記外部パネルが接続されるパネル接続部材と、を更に備えたことにある。
【００１４】
上記目的を達成するため、本考案に係る間仕切り壁の第３の特徴は、前記外部パネルは、外側表面が緩衝材により形成されたことにある。
【考案の効果】
【００１５】
本考案に係る間仕切り壁によれば、既設の柱が設置されている場所においても、既設の天井及び床を傷つけることなく、柱及びパネルの接合部に段差が生じないように設営することができる。
【図面の簡単な説明】
【００１６】
【図１】本考案の一実施形態に係る間仕切り壁の分解斜視図である。
【図２】本考案の一実施形態に係る間仕切り壁の平面図である。
【図３】本考案の一実施形態に係る間仕切り壁の側面図である。
【図４】本考案の一実施形態に係る間仕切り壁における柱パネル接続部材周辺の拡大斜視図である。
【考案を実施するための形態】
【００１７】
以下、本考案を実施するための形態について図面を参照して説明する。
【００１８】
本考案の一実施形態に係る間仕切り壁について、図面を参照して詳細に説明する。
【００１９】
図１は、本考案の一実施形態に係る間仕切り壁の分解斜視図である。
【００２０】
図１に示すように、本考案の一実施形態に係る間仕切り壁１００は、既設の柱２００を利用して各構成部品を組み合わせることにより、仮設のスペースを間仕切りすることが可能な壁として機能する。
【００２１】
間仕切り壁１００は、柱固定部材１と、柱パネル接続部材２と、内部パネル３と、外部パネル４と、パネル接続部材６とを備えている。
【００２２】
柱固定部材１は、例えば木材で平板状に形成された柱固定板１ａ〜１ｄを有し、この柱固定板１ａ〜１ｄが既設の柱２００の周囲を囲むように配置されている。柱固定板１ａ〜１ｄそれぞれは、互いにビス等により接触面で接合されている。これにより、柱２００自体には、ビス穴を付けることなく、柱固定部材１は柱２００に固定することができる。
【００２３】
柱パネル接続部材２は、床方向（図１のＺ２方向）に開のコの字形状に形成された木材であり、一方の面、即ち、後述する外部パネル４側の面（図１のＸ２方向の面）には、外部パネル４に備えられた複数の凸部４ａ〜４ｄに対応する位置に、複数の凹部２ａ〜２ｈが設けられている。また、柱パネル接続部材２は、他方の面、即ち、柱固定部材１側の面（図１のＸ１方向の面）がビスや接着剤等により柱固定部材１に固定されている。
【００２４】
内部パネル３は、例えば、木材で一体成型され、一方の端部が柱パネル接続部材２のコの字形状内側に挿入され、一方の端面（図１のＸ１方向の面）が柱固定部材１の柱固定板１ａに接触する。これにより、内部パネル３は、柱パネル接続部材２に接続される。
【００２５】
なお、内部パネル３は、一体成型することなく、木材で形成された６枚の薄い平板を用いて、６面体を形成するようにしてもよい。これにより、内部が空洞となるので、軽量化を図ることができる。
【００２６】
外部パネル４は、例えば、外部表面がウレタンのような緩衝材で形成されており、内部パネル３を挟むように両側（図１のＹ１方向及びＹ２方向）に配置される。ここで、外部パネル４の内部パネル３側の表面を内部表面といい、外部パネル４の内部パネル３側と反対側、即ち外側の面を外部表面という。
【００２７】
また、２枚の外部パネル４は、それぞれ一方の端面、即ち柱パネル接続部材２側の面（図１のＸ１方向の面）に、柱パネル接続部材２に設けられた複数の凹部２ａ〜２ｈに対応する位置に複数の凸部４ａ〜４ｄが設けられている。同様に、２枚の外部パネル４は、それぞれ他方の端面、即ち後述するパネル接続部材６側の面（図１のＸ２方向の面）に、パネル接続部材６に設けられた複数の凹部６ａ〜６ｈに対応する複数の凸部４ｅ〜４ｈが設けられている。
【００２８】
パネル接続部材６は、柱パネル接続部材２と同様に、床方向（図１のＺ２方向）に開のコの字形状であり、Ｘ１方向における厚さが、柱固定部材１の２倍となるように形成された木材である。パネル接続部材６は、両面に、外部パネル４に備えられた複数の凸部４ｅ〜４ｈが対応する位置に、複数の凹部６ａ〜６ｈ，６ｊ〜６ｓが設けられている。
【００２９】
そして、外部パネル４に設けられた複数の凸部４ａ〜４ｄが、柱パネル接続部材２に設けられた複数の凹部２ａ〜２ｈに嵌合することにより、外部パネル４と柱パネル接続部材２とが接続される。さらに、外部パネル４に設けられた複数の凸部４ｅ〜４ｈが、パネル接続部材６に設けられた複数の凹部６ａ〜６ｈに嵌合することにより、外部パネル４とパネル接続部材６とが接続される。
【００３０】
このように、本考案の一実施形態に係る間仕切り壁１００によれば、既設の柱２００の周囲を囲むように柱固定部材１を配置し、柱パネル接続部材２の一方の面を柱固定部材１に固定する。そして、内部パネル３を柱パネル接続部材２のコの字形状内側に挿入することにより内部パネル３を柱パネル接続部材２に接続すると共に、柱パネル接続部材２に設けられた複数の凹部２ａ〜２ｈに、複数の凸部４ａ〜４ｄを嵌合することにより、外部パネル４を柱パネル接続部材２に接続し、さらに、複数の凹部６ａ〜６ｈ，６ｊ〜６ｓに複数の凸部４ｅ〜４ｈを嵌合することにより、パネル接続部材６を外部パネル４に接続するので、仮設のスペースを簡易に設営することができ、また、設営された仮設のスペースを簡易に撤去することもできる。さらには、設営された仮設のスペースのレイアウトを簡易に変更することができる。
【００３１】
図２は、本考案の一実施形態に係る間仕切り壁１００の平面図であり、図３は、本考案の一実施形態に係る間仕切り壁１００の側面図である。
【００３２】
図２に示すように、柱パネル接続部材２が柱固定部材１に固定され、内部パネル３が柱パネル接続部材２のコの字形状内側に挿入されている。
【００３３】
そして、外部パネル４は、それぞれ一方の端面に設けられた複数の凸部４ａ〜４ｄが、柱パネル接続部材２に設けられた複数の凹部２ａ〜２ｈに嵌合することにより、柱パネル接続部材２に接続されている。
【００３４】
ここで、図２に示すように、２枚の外部パネル４の厚さＡは、柱パネル接続部材２の凹部が設けられた面の幅Ｂと略同一である。また、２枚の外部パネル４の厚さＡは、パネル接続部材６の凹部が設けられた面の幅Ｃと略同一である。
【００３５】
これにより、外部パネル４の外部表面と、柱パネル接続部材２及びパネル接続部材６との間に段差が生じないので、スペース内に配置された遊具を移動させる際、遊具が引っかかり遊具が損傷することを防止することができる。
【００３６】
なお、図２に示すように、パネル接続部材６の両側（図２のＸ１方向及びＸ２方向）には、内部パネル３及び外部パネル４を接続すること可能である。そのため、パネル接続部材６と内部パネル３及び外部パネル４とを交互に接続することにより、壁長を任意の長さまで長くすることができる。
【００３７】
また、図３に示すように、本考案の一実施形態に係る間仕切り壁１００が、幼児が様々な遊具を用いて体を動かして遊ぶことができる遊戯スペースを確保するために設置される場合、外部パネル４の外部表面、柱パネル接続部材２及びパネル接続部材６等には、幼児を楽しませるような絵を描く場合がある。
【００３８】
このような場合においても、外部パネル４の外部表面と、柱パネル接続部材２及びパネル接続部材６との間に段差が生じないので、スペース内で遊ぶ幼児は、描画された絵を自然な絵として認識することができる。
【００３９】
なお、柱パネル接続部材２及びパネル接続部材６に直接絵を描画するのではなく、柱パネル接続部材２及びパネル接続部材６全面に、絵が描画されたシートを貼付するようにしてもよい。
【００４０】
図４は、本考案の一実施形態に係る間仕切り壁１００における柱パネル接続部材２周辺の拡大斜視図である。
【００４１】
図４に示すように、外部パネル４の外部表面と、柱パネル接続部材２との間に段差が生じていないので、スペース内に配置された遊具を移動させる際、遊具が引っかかり遊具が損傷することを防止することができると共に、スペース内で遊ぶ幼児に、描画された絵を自然な絵として提供することができる。
【００４２】
以上のように、本考案の一実施形態に係る間仕切り壁１００によれば、既設の柱２００の周囲を囲むように配置された柱固定部材１と、一方の面に複数の凹部２ａ〜２ｈが設けられた、床方向に開のコの字形状に形成された部材であり、柱固定部材１に他方の面が固定された柱パネル接続部材２と、柱パネル接続部材２のコの字形状内側に挿入される内部パネル３と、少なくとも一方の端面に、柱パネル接続部材２の複数の凹部に対応する複数の凸部４ａ〜４ｄが設けられ、柱パネル接続部材２の凹部２ａ〜２ｈが設けられた面の幅Ａと略同一の厚さＢを有する外部パネル４とを備えるので、既設の柱が設置されている場所においても、既設の天井及び床を傷つけることなく、柱及びパネルの接合部に段差が生じない遊戯スペースを設営することができる。
【００４３】
なお、本考案の一実施形態に係る間仕切り壁１００は、遊戯スペースに限らず、例えば、ショッピングセンターの託児スペースや、オフィスの会議スペース又は執務スペースなどを設営することもできる。
【符号の説明】
【００４４】
１…柱固定部材
１ａ〜１ｄ…柱固定板
２…柱パネル接続部材
２ａ〜２ｈ…凹部
３…内部パネル
４…外部パネル
４ａ〜４ｄ，４ｅ〜４ｈ…凸部
６…パネル接続部材
６ａ〜６ｈ，６ｊ〜６ｓ…凹部
１００…間仕切り壁
２００…柱
【図１】
0003159544.tif 000003
【図２】
0003159544.tif 000004
【図３】
0003159544.tif 000005
【図４】
0003159544.tif 000006
【手続補正書】
【提出日】平成22年3月19日(2010.3.19)
【手続補正１】
【補正対象書類名】明細書
【補正対象項目名】００１２
【補正方法】変更
【補正の内容】
【００１２】
上記目的を達成するため、本考案に係る間仕切り壁の第１の特徴は、柱の周囲を囲むように配置された柱固定部材と、一方の面に複数の凹部が設けられた、床方向に開のコの字形状に形成された部材であり、前記柱固定部材に他方の面が固定された柱パネル接続部材と、前記柱パネル接続部材のコの字形状内側に挿入されることにより柱パネル接続部材に接続される平板形状の内部パネルと、前記柱パネル接続部材の前記凹部が設けられた面の幅と略同一の厚みを有し、少なくとも一方の端面の前記柱パネル接続部材の複数の凹部に対応する位置に複数の凸部が設けられた平板形状の部材であり、前記複数の凸部が前記柱パネル接続部材の複数の凹部に嵌合することにより前記柱パネル接続部材に接続される外部パネルと、を備えたことにある。
【手続補正２】
【補正対象書類名】実用新案登録請求の範囲
【補正対象項目名】全文
【補正方法】変更
【補正の内容】
【実用新案登録請求の範囲】
【請求項１】
柱の周囲を囲むように配置された柱固定部材と、
一方の面に複数の凹部が設けられた、床方向に開のコの字形状に形成された部材であり、前記柱固定部材に他方の面が固定された柱パネル接続部材と、
前記柱パネル接続部材のコの字形状内側に挿入されることにより柱パネル接続部材に接続される平板形状の内部パネルと、
前記柱パネル接続部材の前記凹部が設けられた面の幅と略同一の厚みを有し、少なくとも一方の端面の前記柱パネル接続部材の複数の凹部に対応する位置に複数の凸部が設けられた平板形状の部材であり、前記複数の凸部が前記柱パネル接続部材の複数の凹部に嵌合することにより前記柱パネル接続部材に接続される外部パネルと、
を備えたことを特徴とする間仕切り壁。
【請求項２】
前記外部パネルは、さらに、
他方の端面に、前記複数の凸部が設けられ、
両面に、前記外部パネルの一方又は他方の端面に設けられた複数の凸部に対応する位置に複数の凹部が設けられ、この複数の凹部が設けられた面の幅が前記外部パネルの厚みと略同一である床方向に開のコの字形状に形成された部材であり、このコの字形状内側に内部パネルが挿入されることにより前記内部パネルが接続されると共に、前記複数の凸部が前記複数の凹部に嵌合することにより前記外部パネルが接続されるパネル接続部材と、
を更に備えた請求項１記載の間仕切り壁。
【請求項３】
前記外部パネルは、
外側表面が緩衝材により形成された
ことを特徴とする請求項１又は２記載の間仕切り壁。